(57)【要約】      （修正有）【課題】簡単な操作で形態を次々と変化させることができる形態変化玩具を提供する。【解決手段】カバー部材１０と、カバー部材に設けられ、筒体２１を有する回転軸と、回転軸に設けられ各々がカバー部材と相俟って互いに異なる所定の形態を形成する複数の形象物３０，３１と、カバー部材に設けられた操作子１１と、操作子の一方向の操作動力を回転軸に伝達して回転軸を一方向に回転させる動力伝達機構と、を備え、複数の形象物３０，３１は、操作子１１の一方向の操作によって、１つずつ順番に、カバー部材によって被覆された第１状態からカバー部材より飛び出す第２状態を取る。【選択図】図８
0003200493.tif 000002
【実用新案登録請求の範囲】
【請求項１】
カバー部材と、
前記カバー部材に設けられた回転軸と、
前記回転軸に設けられ各々が前記カバー部材と相俟って互いに異なる所定の形態を形成する複数の形象物と、
前記カバー部材に設けられた操作子と、
前記操作子の一方向の操作動力を前記回転軸に伝達して当該回転軸を一方向に回転させる動力伝達機構と、
を備え、
前記複数の形象物は、前記操作子の一方向の操作によって、１つずつ順番に、前記カバー部材によって被覆された第１状態から前記カバー部材より飛び出す第２状態を取るとともに、前記第２状態から前記第１状態を取る、
ことを特徴とする形態変化玩具。
【請求項２】
前記動力伝達機構は、前記操作子の操作によって動作するラックと、前記ラックに噛合され当該ラックの動作によって回転するピニオンとを備えることを特徴とする請求項１に記載の形態変化玩具。
【請求項３】
前記動力伝達機構は、前記操作子は一方向及び他方向に動作可能に構成され、前記操作子が一方向に動作した際に動力を前記回転軸に伝達し、前記操作子が他方向に動作した際に動力を途中で遮断する一方向クラッチを備えることを特徴とする請求項１又は請求項２に記載の形態変化玩具。
【請求項４】
前記カバー部材には、前記回転軸の回転に伴って、前記複数の形象物のうちの少なくとも１つの形象物が前記第１状態から前記第２状態に移行する際に、当該少なくとも１つの形象物の摺接によって、所定の付勢力に抗して動作して当該少なくとも１つの形象物の前記第１状態から前記第２状態への移行を許容する可動部材が設けられていることを特徴とする請求項１から請求項３のいずれか一項に記載の形態変化玩具。
【請求項５】
前記複数の形象物の少なくとも１つの形象物には、当該少なくとも１つの形象物が前記第２状態を取るときに重力作用によって動作する可動部分が設けられていることを特徴とする請求項１から請求項４のいずれか一項に記載の形態変化玩具。
【請求項６】
前記カバー部材は、前記可動部分が設けられた前記形象物が前記第２状態から前記第１状態に移行するときに前記可動部分を当接力によって折り畳む当接部を備えることを特徴とする請求項５に記載の形態変化玩具。
【請求項７】
前記複数の形象物のうちの１つの形象物が前記第２状態にあるときに位置決めを行う位置決め機構を備えることを特徴とする請求項１から請求項６のいずれか一項に記載の形態変化玩具。
【請求項８】
前記カバー部材は、人形の頭部の形態を成し、前記複数の形象物として２つの形象物が設けられ、前記２つの形象物の１つは車両の形態を成し、前記２つの形象物の他の１つは人形の胴体、手足の形態を成していることを特徴とする請求項１から請求項７のいずれか一項に記載の形態変化玩具。
【考案の詳細な説明】
【技術分野】
【０００１】
本考案は、形態変化玩具に関するものである。
【背景技術】
【０００２】
第１形態と第２形態との間で可逆的に形態変化可能な形態変化玩具として、様々なものが知られている（例えば、特許文献１参照）。
【先行技術文献】
【特許文献】
【０００３】
【特許文献１】特開２０１２−１８７３５３号公報
【考案の概要】
【考案が解決しようとする課題】
【０００４】
ところで、この種の形態変化玩具においては、第１形態から第２形態に変化させるための操作と、第２形態から第１形態へと変化させるための操作とが異なっているために、操作が煩雑となっていた。
例えば、上記特許文献１の形態変化玩具では、走行可能な形態において前方に突出して設けられ、形態変化玩具が障害物に衝突したときに後方へと変位可能な突出部材と、前記突出部材が後方へと変位することにより作動し、前記走行可能な形態から別の形態へと形態を変化させるための形態変化機構を備えているので、障害物に衝突したときに瞬時に第１形態から第２形態へと形態を変化させることができるようにしたものであり、突出部材を手で操作しても第１形態から第２形態へと形態を変化させることが可能となっているが、第２形態から第１形態へと形態を変化させるには折畳み操作を必要としていた。
このように、形態変化玩具においては、第１形態から第２形態に変化させるための操作と、第２形態から第１形態へと変化させるための操作とが異なっているのが一般的であり、小さな子供にとっては操作が難しいという問題があった。
【０００５】
本考案は、簡単な操作によって形態を次々と変化させることができる形態変化玩具を提供することを目的とする。
【課題を解決するための手段】
【０００６】
請求項１に記載の形態変化玩具は、
カバー部材と、
前記カバー部材に設けられた回転軸と、
前記回転軸に設けられ各々が前記カバー部材と相俟って互いに異なる所定の形態を形成する複数の形象物と、
前記カバー部材に設けられた操作子と、
前記操作子の一方向の操作動力を前記回転軸に伝達して当該回転軸を一方向に回転させる動力伝達機構と、
を備え、
前記複数の形象物は、前記操作子の一方向の操作によって、１つずつ順番に、前記カバー部材によって被覆された第１状態から前記カバー部材より飛び出す第２状態を取るとともに、前記第２状態から前記第１状態を取る、
ことを特徴とする。
【０００７】
請求項２記載の形態変化玩具は、請求項１記載の形態変化玩具において、前記動力伝達機構は、前記操作子の操作によって動作するラックと、前記ラックに噛合され当該ラックの動作によって回転するピニオンとを備えることを特徴とする。
【０００８】
請求項３記載の形態変化玩具は、請求項１又は請求項２に記載の形態変化玩具において、前記動力伝達機構は、前記操作子は一方向及び他方向に動作可能に構成され、前記操作子が一方向に動作した際に動力を前記回転軸に伝達し、前記操作子が他方向に動作した際に動力を途中で遮断する一方向クラッチを備えることを特徴とする。
【０００９】
請求項４記載の形態変化玩具は、請求項１から請求項３いずれか一項に記載の形態変化玩具において、前記カバー部材には、前記回転軸の回転に伴って、前記複数の形象物のうちの少なくとも１つの形象物が前記第１状態から前記第２状態に移行する際に、当該少なくとも１つの形象物の摺接によって、所定の付勢力に抗して動作して当該少なくとも１つの形象物の前記第１状態から前記第２状態への移行を許容する可動部材が設けられていることを特徴とする。
【００１０】
請求項５記載の形態変化玩具は、請求項１から請求項４のいずれか一項に記載の形態変化玩具において、前記複数の形象物の少なくとも１つの形象物には、当該少なくとも１つの形象物が前記第２状態を取るときに重力作用によって動作する可動部分が設けられていることを特徴とする。
【００１１】
請求項６記載の形態変化玩具は、請求項５に記載の形態変化玩具において、前記カバー部材は、前記可動部分が設けられた前記形象物が前記第２状態から前記第１状態に移行するときに前記可動部分を当接力によって折り畳む当接部を備えることを特徴とする。
【００１２】
請求項７記載の形態変化玩具は、請求項１から請求項６のいずれか一項に記載の形態変化玩具において、前記複数の形象物のうちの１つの形象物が前記第２状態にあるときに位置決めを行う位置決め機構を備えることを特徴とする。
【００１３】
請求項８記載の形態変化玩具は、請求項１から請求項７のいずれか一項に記載の形態変化玩具において、前記カバー部材は、人形の頭部の形態を成し、前記複数の形象物として２つの形象物が設けられ、前記２つの形象物の１つは車両の形態を成し、前記２つの形象物の他の１つは人形の胴体、手足の形態を成していることを特徴とする。
【考案の効果】
【００１４】
請求項１記載の考案によれば、操作子の一方向の操作の継続又は繰り返しによって形態変化玩具の形態が変化するので、形態変化のための操作を極めて簡単にすることができる。例えば、操作子を一方向に押したり、引いたり、回転させたりするだけで、形態を次々に変化させることができる。したがって、小さな子供でも簡単に形態変化を楽しむことができる。
【００１５】
請求項２記載の考案によれば、ラック・ピニオン機構によって、操作子の直動運動を回転軸の回転運動に簡単に変換することができるので、構成が簡易なものとなる。
【００１６】
請求項３記載の考案によれば、一方向クラッチを設けているので、一方向に操作するために往復運動の繰り返しが必要な操作子にも適用することができる。
【００１７】
請求項４記載の考案によれば、カバー部材に可動部材が設けられているので、比較的大きな形象物にも適用することができる。
【００１８】
請求項５記載の考案によれば、重力作用によって動作する可動部分を有し、形態変化の際に可動部分も動作するので、面白みのある形態変化が実現できる。
【００１９】
請求項６記載の考案によれば、可動部分を折り畳むことができるので、カバー部材への収納が容易となる。
【００２０】
請求項７記載の考案によれば、位置決め機構を有するため、変化後の形態保持が容易となる。
【００２１】
請求項８記載の考案によれば、人形と車両との間で形態が変化するので、面白みのある形態変化を実現することができる。
【図面の簡単な説明】
【００２２】
【図１】本考案に係る形態変化玩具の第１形態を示した斜視図である。
【図２】本考案に係る形態変化玩具の第２形態を示した斜視図である。
【図３】形態変化玩具のカバー部材を示した分解斜視図である。
【図４】第２形態の形態変化玩具を後方斜め下側から見た状態を示した斜視図である。
【図５】形態変化玩具の動力伝達機構を示した斜視図である。
【図６】回転軸、クラッチ機構及び位置決め機構の分解斜視図である。
【図７】カバー部材を後方斜め上側から見た状態を示した斜視図である。
【図８】第１形象物が飛び出した状態を示す側面図である。
【図９】第２形象物が飛び出した状態を示す側面図である。
【考案を実施するための形態】
【００２３】
以下、本考案に係る形態変化玩具を図面に示した実施の形態に基づいて説明する。
【００２４】
（概略構成）
図１及び図２は形態変化玩具１００を示している。この形態変化玩具１００は、特に限定はされないが、全体が片手で握れる程度の大きさに形成されている。
この形態変化玩具１００は、人形の頭部を模したカバー部材１０を備えている。このカバー部材１０の頂部には直立状態と後倒状態とを取り得る舌片状の操作子１１が設けられている。この操作子１１は、カバー部材１０に対して上下方向で接離可能に構成されていると共に、後述のコイルスプリング１２によってカバー部材１０に接近する方向に付勢されている。そして、この操作子１１は、片手の親指と人差し指とで摘んで上方に引くことにより、コイルスプリング１２の付勢力に抗してカバー部材１０から離間する方向に動作し、操作子１１の引きを緩めることにより、コイルスプリング１２の付勢力によりカバー部材１０に接近する方向に動作する。
以上のようにして、形態変化玩具１００は、操作子１１を上方に引く毎に、図１に示す第１形態と図２に示す第２形態とを交互に取るように構成されている。
【００２５】
（細部構成）
１．カバー部材１０について
カバー部材１０は、上述したように、人形の頭部を模して形成されている。図３に示すように、カバー部材１０の内部は中空で、この中空部は、当該カバー部材１０の下端から後端の下半部に亘って開口している（図４参照）。
カバー部材１０の前側カバー部分（人形の顔に相当する部分）１３は頭頂近くにある水平な軸１３ａを中心に前後に回動可能に構成されている。この前側カバー部分１３は、常態では、軸１３ａに巻装されたトーションスプリング１３ｂの付勢力によって垂下位置（定位置）にあり、当該前側カバー部分１３の内面の下端部に内方から外力が作用したときに、トーションスプリング１３ｂの付勢力に抗して顎を突き出すように前方に向けて回動する。トーションスプリング１３ｂの一端はカバー部材１０に他端は前側カバー部分１３に掛けられている。
この前側カバー部分１３の作用及び効果の詳細については後述する。
また、カバー部材１０の後部は、図４に示すように、下半部が切り欠かれており、この切欠き部１０ａの上縁部は当接部１４を構成している。
この当接部１４の作用及び効果の詳細については後述する。
【００２６】
２．回転軸２０、第１形象物３０及び第２形象物３１について
カバー部材１０の下端の左右縁部には回転軸２０が支持されている。図５及び図６に示すように、回転軸２０は筒体２１を有している。この筒体２１の外周には、図７及び図８に示すように、円周方向に第１形象物３０と第２形象物３１とが等間隔で設けられている。図５において符号２１ａは第１形象物３０の取付け部、符号２１ｂは第２形象物３１の取付け部を指示している。
【００２７】
第１形象物３０は、頭部を除いた人形の姿態を成している。すなわち、図１に示すように、第１形象物３０は人形の胴体３０ａ、手３０ｂ及び足３０ｃから構成されている。この第１形象物３０は、図８に示すように、胴体３０ａの首側が筒体２１に連結されている。この胴体３０ａには、上腕部の付け根部分を中心に回動可能となるように手３０ｂが取り付けられている。また、胴体３０ａには、上肢の付け根部分を中心に回動となるように足３０ｃが取り付けられている。この足３０ｃは、回動によって、胴体３０ａの前腹に足先が接近するように屈曲した屈曲状態（図９参照）と、胴体３０ａから足先が離間するように伸張した伸張状態（図８参照）とを取り得る。そして、この形態変化玩具１００では、カバー部材１０の下方に第１形象物３０が飛び出したときに、足３０ｃが伸張状態となり、図１及び図８に示すように、カバー部材１０と一緒になって第１形態を取る。
第２形象物３１は、自動車玩具の姿態をしている。この第２形象物３１は、図８に示すように、自動車玩具のルーフ側が筒体２１に連結されている。この第２形象物３１には、自動車玩具のシャーシ下側に空転可能な４つの車輪３１ａが設けられている。そして、この形態変化玩具１００では、カバー部材１０の下方に第２形象物３１が飛び出したときに、図２及び図９に示すように、カバー部材１０と一緒になって第２形態を取る。
【００２８】
３．クラッチ機構４０について
回転軸２０にはクラッチ機構４０が組み込まれている。
すなわち、筒体２１の一端部にはクラッチ片４１が内装されている。このクラッチ片４１の外端部は筒体２１から突出している。そして、クラッチ片４１の突出部にはピニオン４１ａが形成されている。また、クラッチ片４１の内端には歯先縁が放射状に延在する歯４１ｂが円周方向に等間隔に複数形成されている。各歯４１ｂにおいて、歯先縁で区画される２つの面の傾斜角度は互いに異なっている。この歯４１ｂはクラッチ歯を構成し、クラッチ片４１は筒体２１に対して空転可能となっている。
また、筒体２１には、クラッチ片４１の内側に他のクラッチ片４２が内装されている。このクラッチ片４２の端面のうち上記クラッチ片４１に対向する面には、当該クラッチ片４１のクラッチ歯に対して相補的形状を有するクラッチ歯が形成されている。すなわち、クラッチ片４２の端面のうち上記クラッチ片４１に対向する面には、歯先縁が放射状に延在する歯４２ｂが円周方向に等間隔に複数形成されている。各歯４２ｂにおいて、歯先縁で区画される２つの面の傾斜角度は互いに異なっている。また、このクラッチ片４２の他端部は、互いに平行な２面を有する厚肉板状に形成されている。この板状部分４２ｃは筒体２１の内部の図示しない孔に嵌合されていて、クラッチ片４２は筒体２１と一体的に回転するように構成されている。但し、クラッチ片４２は筒体２１の軸線方向には移動可能となっている。
なお、クラッチ片４１，４２には棒状の軸４５が貫設され、クラッチ片４２は、筒体２１内の固定部との間に介装されたコイルスプリング４２ｄによって、クラッチ歯同士が互いに噛合するように、クラッチ片４１に押し付けられている。そして、クラッチ片４１が正規の方向に回転したときには、クラッチ片４１，４２を介して筒体２１に動力が伝達され、クラッチ片４１が逆方向に回転したときには、コイルスプリング４２ｄの付勢力に抗してクラッチ片４１，４２のクラッチ歯同士が滑り、筒体２１には動力は伝達されない。
【００２９】
４．位置決め機構５０について
回転軸２０には位置決め機構５０が設けられている。
すなわち、筒体２１の他端部には係合部材５１が内装されている。この係合部材５１の外端部は筒体２１から突出している。そして、突出部には三角状の突起５１ａが形成されている。また、この係合部材５１の内端部は、互いに平行な２面を有する厚肉板状に形成されている。この板状部分５１ｂは筒体２１の内部の図示しない孔に嵌合されていて、係合部材５１は筒体２１と一体的に回転するように構成されている。但し、係合部材５１は筒体２１の軸線方向には移動可能となっている。
なお、係合部材５１には上記軸４５が貫設され、係合部材５１は、筒体２１内の固定部との間に介装されたコイルスプリング５１ｃによって、筒体２１から突出する方向に付勢されている。また、カバー部材１０のうち係合部材５１の突出部の端面に対向する面には、図７に示すように、三角状の突起５１ａに対して相補的形状の凹部１０ｂが形成されている。そして、回転軸２０の回転に伴って、第１形象物３０又は第２形象物３１がカバー部材１０から飛び出した位置で、三角状の突起５１ａと凹部１０ｂとが係合するようになっている。
この位置決め機構５０の作用及び効果の詳細については後述する。
【００３０】
５．操作子１１及び動力伝達機構６０について
操作子１１は、人形の頭部上の装飾部を構成している。図５に示すように、この操作子１１はカバー部材１０の内側に配置されたラック部材６１の上端部に軸１１ａを介して連結されている。ラック部材６１は上部と下部とが上下方向に延在し、途中部分が屈曲及び湾曲した形状となっている。ラック部材６１の上部はカバー部材１０の中心に、下部はカバー部材１０の一側部内面近くに位置している。このラック部材６１の下端部には上記ピニオン４１ａに噛合するラック６１ａが形成されている。
また、ラック部材６１の上部とカバー部材１０の頭頂部との間にはコイルスプリング１２が介装され、このコイルスプリング１２によって、ラック部材６１は下方に付勢されている。
【００３１】
６．動作
次に、形態変化玩具１００の動作を説明する。
例えば片手の親指と人差し指とで摘んだ操作子１１を上方に引くことにより、コイルスプリング１２の付勢力に抗してラック部材６１が上方に動作する。
ラック部材６１が上方に動作すると、ラック６１ａに噛合しているピニオン４１ａが回転する。ピニオン４１ａが回転すると、クラッチ片４１も同時に回転し、更に、クラッチ片４２及び筒体２１も追従して回転する。これによって、カバー部材１０に被覆されていた形象物（第１形象物３０又は第２形象物３１）は回転軸２０の前方を通り、カバー部材１０の下方に飛び出す。この位置で、係合部材５１の突起５１ａがカバー部材１０の凹部１０ｂに嵌合し、位置決めされる。そして、形態変化玩具１００は第１形態又は第２形態のいずれかを取る。なお、飛び出していた形象物（第１形象物３０又は第２形象物３１）は、回転軸２０の後方を通り、回転軸２０の上方に至り、カバー部材１０に被覆される。
【００３２】
なお、カバー部材１０に被覆されていた形象物は回転軸２０の前方に至る際に、前側カバー部分１３の内側に摺接する。これによって、前側カバー部分１３はトーションスプリング１３ｂの付勢力に抗して回動する。したがって、前側カバー部分１３に妨げられることなく、形象物を飛び出させることができる。また、第１形象物３０は、カバー部材１０から飛び出した状態では、自重によって手３０ｂ及び足３０ｃが下がる。この場合、足３０ｃは胴体３０ａから垂れ下がった伸張状態となる。一方、垂れ下がった足３０ｃは、第１形象物３０が回転軸２０の後方を通ってカバー部材１０に収納される際には、当接部１４に当接して前屈形態となるように回動して折り畳まれる。
【００３３】
一方、操作子１１を上方に引いた後、操作子１１の引きを緩めると、コイルスプリング１２の付勢力によりラック部材６１が下方に動作する。
ラック部材６１が下方に動作すると、コイルスプリング４２ｄの付勢力に抗してクラッチ片４１，４２のクラッチ歯同士が滑り、筒体２１には動力は伝達されず、形態変化玩具１００の形態を変化させない。
【００３４】
（考案の変形例）
以上、本考案の実施形態について説明したが、本考案は、かかる実施形態に限定されるものではなく、その要旨を逸脱しない範囲で種々変形可能であることは言うまでもない。
例えば、上記実施形態では、カバー部材１０に対して形象物が下方に飛び出すように構成したが、カバー部材１０の上方や側方に飛び出すように構成してもよいことは勿論である。
【００３５】
また、上記実施形態では、操作子１１の引く方向と形象物が飛び出す方向とはカバー部材１０を挟んで逆方向にしているが、それに限定されないことはいうまでもない。
【００３６】
また、上記実施形態では、操作子１１の戻し機構としてコイルスプリング１２を用いたが、ゼンマイやゴムその他の戻し機構を用いてもよい。
【００３７】
さらに、上記実施形態では、操作子１１として舌片状の板材を説明したが、操作子はダイヤルでも回転ハンドルその他であってもよい。
【００３８】
また、上記実施形態では、２つの形態との間で形態変化するものを説明したが、３つ以上の形象物を設けて、３以上の形態との間で形態変化を行うように構成してもよい。
【符号の説明】
【００３９】
１０    カバー部材
１４   摺接部
２０   回転軸
２１   筒体
３０   第１形象物
３０ａ 胴体
３０ｂ 手
３０ｃ 足
３１   第２形象物
４０   クラッチ機構
４１ａ ピニオン
５０   位置決め機構
６０   動力伝達機構
６１   ラック部材
６１ａ ラック
１００ 形態変化玩具
【図１】
0003200493.tif 000003
【図２】
0003200493.tif 000004
【図３】
0003200493.tif 000005
【図４】
0003200493.tif 000006
【図５】
0003200493.tif 000007
【図６】
0003200493.tif 000008
【図７】
0003200493.tif 000009
【図８】
0003200493.tif 000010
【図９】
0003200493.tif 000011